(57)【要約】      （修正有）【課題】取付が容易で耐久性にも優れ、また歩行者や車の通行にも安全でのぼり旗の設置効果の高いのぼり旗竿用支持具を提供する。【解決手段】のぼり旗竿２を支柱１に対し上下２箇所で支持させるための上支持ユニット１１および下支持ユニット１２を備えてなり、それら上支持ユニットおよび下支持ユニットは、支柱１の周囲に弾性ゴム部材２０，２６を介して着脱可能に環着させる環状の支柱固定部１３，１５と、支柱固定部に一体化されのぼり旗竿２をねじ部材１９，２２，２５，２９を介して回動不可に支持固定する環状の竿支持部１４，１６から構成する。【選択図】図１
0003208586.tif 000002
【実用新案登録請求の範囲】
【請求項１】
のぼり旗竿を支柱に対し上下２箇所で支持させるための一対の支持ユニットを備えてなり、それら一対の支持ユニットは、前記支柱の周囲に弾性ゴム部材を介して着脱可能に環着させる環状の支柱固定部と、当該支柱固定部に一体化され前記のぼり旗竿を固定手段を介して回動不可に支持固定する環状の竿支持部から構成されていることを特徴とするのぼり旗竿用支持具。
【請求項２】
一対の支持ユニットのうち、下側の支持ユニットの竿支持部内に、前記のぼり旗竿の下端部を受ける受け部が設けられていることを特徴とする請求項１記載ののぼり旗竿用支持具。
【請求項３】
前記弾性ゴム部材の内面に周方向に延在する複数条の係止溝が設けられていることを特徴とする請求項１または請求項２に記載ののぼり旗竿用支持具。
【請求項４】
前記支柱固定部が、ヒンジ部を介して開閉可能な一対の環着部材から構成されていることを特徴とする請求項１ないし請求項３のいずれか一項に記載ののぼり旗竿用支持具。
【考案の詳細な説明】
【技術分野】
【０００１】
本考案は、のぼり旗竿用の支持具に関するものである。
【背景技術】
【０００２】
従来より、道路のガードレールに交通安全や防犯を啓蒙するのぼり旗が設置されたり、店舗敷地のフェンスに商品やサービスあるいはイベントを宣伝するのぼり旗が掲げられている場合が多い。これらののぼり旗は旗竿をガードレールの支柱やフェンスの支柱に針金等により取り付けている場合が多く、針金等が疲労劣化して旗竿が外れて通行の邪魔になったり、ガードレールやフェンスの美観を損ねる原因にもなっていた。
【０００３】
従来より、この種の支持具として種々のものが提案されている（特許文献１〜特許文献４）。
【先行技術文献】
【特許文献】
【０００４】
【特許文献１】特開２００３−１５００９５号公報
【特許文献２】特開２００２−５５６３９号公報
【特許文献３】特開２００５−２４１６８４号公報
【特許文献４】特開２００７−２３１５３６号公報
【考案の概要】
【考案が解決しようとする課題】
【０００５】
しかしながら、特許文献１の支持具は、物干し台座に支持させるため、通路等に設置すると通行の邪魔となる。特許文献２の支持具は、上下の爪でガードレール等に固定するもので、安定した支柱に固定することはできない。特許文献３の支持具は、建物の取付面に磁石や吸盤を介して取り付けるもので、道路脇にガードレールやフェンスに取り付けることはできない。特許文献４の支持具は、支柱に取付可能であるが、縦長の筒状の支持部材を上下の支持バンドにより支柱に取り付けるようにしており、部品点数が増えると共に、支柱の長短にあわせて上下の支持位置を調整できない不便がある。
【０００６】
本考案は上記課題に鑑みてなされたもので、取付が容易で耐久性にも優れ、また歩行者や車の通行にも安全でのぼり旗の設置効果の高いのぼり旗竿用支持具を提供することを目的とする。
【課題を解決するための手段】
【０００７】
上記課題を解決するために、本考案に係るのぼり旗竿用支持具は、のぼり旗竿を支柱に対し上下２箇所で支持させるための一対の支持ユニットを備えてなり、それら一対の支持ユニットは、前記支柱の周囲に弾性ゴム部材を介して着脱可能に環着させる環状の支柱固定部と、当該支柱固定部に一体化され前記のぼり旗竿を固定手段を介して回動不可に支持固定する環状の竿支持部から構成されていることを主要な特徴とする。
【０００８】
本考案に係るのぼり旗竿用支持具は、一対の支持ユニットのうち、下側の支持ユニットの竿支持部内に、前記のぼり旗竿の下端部を受ける受け部が設けられていることを第２の特徴とする。
【０００９】
本考案に係るのぼり旗竿用支持具は、前記弾性ゴム部材の内面に周方向に延在する複数条の係止溝が設けられていることを第３の特徴とする。
【００１０】
本考案に係るのぼり旗竿用支持具は、前記支柱固定部が、ヒンジ部を介して開閉可能な一対の環着部材から構成されていることを第４の特徴とする。
【考案の効果】
【００１１】
以上説明したように、本考案に係るのぼり旗竿用支持具によれば、支柱に対する取付が容易であり、従来の針金等による取付に比べて耐久性に優れ、さらには歩行者や車の通行にも安全であり、キャンペーン効果や宣伝広告効果の高いのぼり旗を設置できるという優れた効果を奏する。
【図面の簡単な説明】
【００１２】
【図１】本考案の支持具を用いてのぼり旗竿を支柱に支持させた状態を示す正面図、
【図２】図１の支持具を構成する上支持ユニットを示すもので（Ａ）は正面図、（Ｂ）は平面図、
【図３】図１の支持具を構成する下支持ユニットを示すもので（Ａ）は正面図、（Ｂ）は平面図、
【図４】（Ａ）は図１のＡ−Ａ線矢視断面図、（Ｂ）は図１のＢ−Ｂ線矢視断面図、
【図５】（Ａ）は図４のＣ−Ｃ線矢視断面図、（Ｂ）は図４のＤ−Ｄ線矢視断面図、
【図６】本考案の支持具を用いてのぼり旗竿をガードレールの支柱に支持させた例を示す図、
【図７】本考案の支持具を用いてのぼり旗竿をフェンスの支柱に支持させた例を示す図である。
【考案を実施するための最良の形態】
【００１３】
本考案を実施するための一実施形態を、図面を参照しながら説明する。図１は本考案に係る支持具を用いてのぼり旗竿を支柱に支持させた状態を示すもので、図１において符号１は支柱、符号２はのぼり旗竿、符号１０は支持具を示している。
【００１４】
図１に示すように、支持具１０は、のぼり旗竿２（以下、「旗竿２」という）を支柱１に対し上下２箇所で支持させるための一対の支持ユニット１１，１２を備えている。
【００１５】
上側の支持ユニット１１（以下、「上支持ユニット１１」という）は、支柱１の上側でその周囲に環着される環状の金属製からなる支柱固定部１３と、当該支柱固定部１３に一体化され前記旗竿２を支持する環状の金属製からなる竿支持部１４から構成されている。同様に、下側の支持ユニット１２（以下、「下支持ユニット１２」という）は、支柱１の下側でその周囲に環着される環状の金属製からなる支柱固定部１５と、当該支柱固定部１５に一体化され前記旗竿２の下部を支持する環状の金属製からなる竿支持部１６から構成されている。
【００１６】
上支持ユニット１１の支柱固定部１３は、図１および図２に示すように、ヒンジ部１７により開閉可能に一端がヒンジ結合された一対の環状片１８，１８を備えており、一対の環状片１８，１８の他端どうしは、図１および図４（Ａ）に示すように、支柱１の周囲に環着状態でねじ部材１９により連結可能となっている。
【００１７】
一対の環状片１８，１８の内周面には、内面から上下端に至る弾性ゴム部材２０，２０が、周方向に装着されている。これら弾性ゴム部材２０，２０は支柱１に対する支柱固定部１３の環着効果（滑り止め効果）を高めるもので、図５（Ａ）に示すように、その機能をより発揮させるべく内面に周方向に延びる複数条（図示例は３状）の係止溝２１が設けられている。
【００１８】
上支持ユニット１１の竿支持部１６には、図４（Ａ）に示すようにその内部に挿通された旗竿２を固定し旗竿２の回転を防止する固定手段としてのねじ部材２２が設けられている。ねじ部材２２は先端に固定部２２ａを備えている。
【００１９】
下支持ユニット１２の支柱固定部１５は、図１および図３に示すように、ヒンジ部２３により開閉可能に一端がヒンジ結合された一対の環状片２４，２４を備え、一対の環状片２４，２４の他端どうしは、図１および図４（Ｂ）に示すように、支柱１の周囲に環着状態でねじ部材２５により連結可能となっている。
【００２０】
一対の環状片２４，２４の内周面には、内面から上下端に至る弾性ゴム部材２６，２６が、周方向に装着されている。これら弾性ゴム部材２６，２６は支柱１に対する支柱固定部１５の環着効果（滑り止め効果）を高めるもので、図５（Ｂ）に示すように内面に周方向に延びる複数条（図示例は３状）の係止溝２７が設けられている。
【００２１】
下支持ユニット１２の竿支持部１６は上支持ユニット１１の竿支持部１４よりも高さ方向に比較的長い寸法に設定され、竿支持部１６の底面には旗竿２の下端部を受ける受け部２８が設けられている。また、竿支持部１６には図１および図４（Ｂ）に示すように上下２箇所に旗竿２の下部を固定し旗竿２の回転を防止する固定手段としてのねじ部材２９が設けられている。ねじ部材２９は先端に固定部２９ａを備えている。
【００２２】
なお、上記支柱固定部１３，１５の各環状片１８，２４およびヒンジ部１７，２３は耐久性および美観を向上させるためエポキシ樹脂等の塗料が塗布されている。
【００２３】
次に以上のように構成された支持具１０の使用方法を説明する。
【００２４】
図６は支持具１０を用いてガードレールの支柱に旗竿を取付支持させる例を示している。図６に示すように、ガードレール３は支柱１と水平部材４からなり、旗竿２には例えば「交通安全運動実施中」などの表示がなされたのぼり旗５が掲げられている。
【００２５】
まず、図６に示すように、ガードレール３の支柱１の上部に上支持ユニット１１の支柱固定部１３を、ガードレール３の支柱１の下部に下支持ユニット１１の支柱固定部１５を、それぞれねじ部材１９，２５により固定する。次に、上方から旗竿２を上支持ユニット１１の竿支持部１４に挿通すると共に、旗竿２の下部を下支持ユニット１２の竿支持部１６に挿通して受け部２８に受けさせる。
【００２６】
そして、上支持ユニット１１の竿支持部１４に設けられたねじ部材２２と、下支持ユニット１２の竿支持部１６に設けられた上下のねじ部材２９をそれぞれ回してそれぞれの固定部２２ａ，２９ａを前進させ、これにより図４（Ａ）（Ｂ）に示すように、旗竿２を竿支持部１４，１６内で固定する。
【００２７】
上記支持具１０によると、次のような効果を奏する。
【００２８】
（１）ガードレール３の支柱１にねじ部材１９，２５により上支持ユニット１１と下支持ユニット１２を容易に取り付け、これにより旗竿２を支柱１に容易に支持させることができる。
【００２９】
（２）下支持ユニット１２の竿支持部１６に受け部２８を設けたので、旗竿２の支持高さを、のぼり旗５を見る人の視線の高さにあわせて調整できる。例えばトラックドライバー、乗用車、自転車、歩行者、児童など視線の高さがそれぞれ異なる。受け部２８により旗竿２の下部が下方に露出しないので美観にも優れる（見栄えがよい）。
【００３０】
（３）旗竿２はねじ部材２２，２９により上下の竿支持部１４，１６内に確実に固定するので、のぼり旗５が風を受けることにより旗竿２１が回転し、のぼり旗５の表示が歩行者やドライバーから見えにくくなることがない。
【００３１】
（４）弾性ゴム部材２０，２６を介して支柱固定部１３，１５を支柱１に固定したので、支柱１への保持力が強く、また、針金等で取り付ける場合に比べて耐久性にも優れることから、旗竿２が斜めになったり倒れたりして歩行者や車の通行の邪魔になることがなく、しかも支柱１ひいてはガードレール３の美観を損ねることがない。
【００３２】
図７は支持具１０を用いて店舗敷地の入口に旗竿を取付支持させる例を示している。図７に示すように、敷地店舗の入口には左右に支柱６が立設し、支柱６，６からさらにフェンス７が設置されている。旗竿２には例えば「大特価」「セール中」などの広告表示がなされたのぼり旗５が掲げられている。
【００３３】
図７に示すように、本考案の支持具１０を用いることにより、宣伝効果の高いのぼり旗５を店舗敷地の入口に掲げることができるし、多数本ののぼり旗５をフェンス７の支柱に一定間隔で取り付ける場合、支持具１０の位置を高くしたり低くしたりして、連続するのぼり旗５に変化をもたせ、のぼり旗５による宣伝効果を際立たせることも可能である。
【００３４】
かくして、本考案ののぼり旗竿用支持具によると、取付が容易で耐久性に優れ、歩行者や車の通行にも安全でのぼり旗の表示効果、宣伝効果の高い支持具を提供することができた。
【産業上の利用可能性】
【００３５】
本考案は、のぼり旗竿用支持具として利用可能である。
【符号の説明】
【００３６】
１，６  支柱
２  のぼり旗竿
３  ガードレール
４  水平部材
５  のぼり旗
７  フェンス
１０  支持具
１１  上支持ユニット
１２  下支持ユニット
１３，１５  支柱固定部
１４，１６  竿支持部
１７，２３  ヒンジ部
１８，２４  環状片
１９，２２，２５，２９  ねじ部材
２０，２６  弾性ゴム部材
２１，２７  係止溝
２２ａ，２９ａ  固定部
２８  受け部
【図１】
0003208586.tif 000003
【図２】
0003208586.tif 000004
【図３】
0003208586.tif 000005
【図４】
0003208586.tif 000006
【図５】
0003208586.tif 000007
【図６】
0003208586.tif 000008
【図７】
0003208586.tif 000009